(57)【要約】  ユーザ機器（ＵＥ）に、デバイスツーデバイス（Ｄ２Ｄ）モードを用いて、他のユーザ機器と直接情報を送信することを可能とする装置及び方法が、本明細書に開示される。Ｄ２Ｄモードにおいて第２ＵＥ（ｄＵＥ２）との通信を望む第１ＵＥ（ｄＵＥ１）は、様々な通信要求を、ｄＵＥ１及びｄＵＥ２の間の接続を促すことができる進化型ノードＢ（ｅＮＢ）に行う。これらの要求は、ロングタームエボリューション（ＬＴＥ）経由に代えてＷｉＦｉ経由でＤ２Ｄ接続をする。ｅＮＢは、ｄＵＥ１及びｄＵＥ２のＷｉＦｉ能力を決定し、そして、ｄＵＥ１によりスキャンされる利用可能なチャネルのサブセットと、ｄＵＥ２によりスキャンされる利用可能なチャネルの別個のサブセットを割り当てる。従って、ｅＮＢは、ｄＵＥ１及びｄＵＥ２により実行されるスキャンに基づいて、ＷｉＦｉチャネルを割り当てることができる。
2015521423.tif 000002
【特許請求の範囲】
【請求項１】
デバイスツーデバイス（Ｄ２Ｄ）構成において第１ユーザ機器（ｄＵＥ１）を第２ユーザ機器（ｄＵＥ２）に直接接続する処理回路を備える進化型ノードＢであり、前記処理回路は、
前記ｄＵＥ１から第１制御メッセージを受信し、
前記ｄＵＥ２から第２制御メッセージを受信し、
前記ｄＵＥ１および前記ｄＵＥ２に対する要求を受信して、複数のＷｉＦｉ信号を介してデバイスツーデバイスモードで通信し、
前記ｄＵＥ１および前記ｄＵＥ２の間の共通の複数のＤ２Ｄ特徴を決定し、
前記ｄＵＥ１および前記ｄＵＥ２の間の好ましい接続方法を決定し、
前記ｄＵＥ１および前記ｄＵＥ２に指示して、前記好ましい接続方法を用いて前記ｄＵＥ１および前記ｄＵＥ２の間のＤ２Ｄ接続を確立する、進化型ノードＢ。
【請求項２】
前記第１制御メッセージは、前記ｄＵＥ１の複数のＤ２Ｄ能力に関する情報を有し、
前記第２制御メッセージは、前記ｄＵＥ２の複数のＤ２Ｄ能力に関する情報を有する、請求項１に記載の進化型ノードＢ。
【請求項３】
前記ｄＵＥ１の複数のＤ２Ｄ能力に関する前記情報は、前記ｄＵＥ１の複数のサポートされた物理層技術、複数のサポートされた周波数帯域、サポートされた無線技術、複数のサービスパラメータの品質、および電力容量のうちの１または複数を含み、
前記ｄＵＥ２の複数のＤ２Ｄ能力に関する前記情報は、前記ｄＵＥ２の複数のサポートされた物理層技術、複数のサポートされた周波数帯域、サポートされた無線技術、複数のサービスパラメータの品質、および電力容量のうちの１または複数を含む、請求項２に記載の進化型ノードＢ。
【請求項４】
前記ｄＵＥ１の前記複数のＤ２Ｄ能力に関する前記情報は、前記ｄＵＥ１が使用可能なＷｉＦｉチャネルに関する情報を含み、
前記ｄＵＥ２の前記複数のＤ２Ｄ能力に関する前記情報は、前記ｄＵＥ２が使用可能なＷｉＦｉチャネルに関する情報を含む、請求項２に記載の進化型ノードＢ。
【請求項５】
前記処理回路は、さらに、
前記ｄＵＥ１及び前記ｄＵＥ２がともに使用可能な複数のＷｉＦｉチャネルの共通セットを決定し、
複数のＷｉＦｉチャネルの前記共通セットを複数のＷｉＦｉチャネルの第１サブセットおよび複数のＷｉＦｉチャネルの第２サブセットに分割し、
前記ｄＵＥ１に指示して、複数のＷｉＦｉチャネルの前記第１サブセットを測定し、
前記ｄＵＥ２に指示して、複数のＷｉＦｉチャネルの前記第２サブセットを測定し、
前記ｄＵＥ１から複数のＷｉＦｉチャネルの前記第１サブセットに関する複数の測定値を受信し、
前記ｄＵＥ２から複数のＷｉＦｉチャネルの前記第２サブセットに関する複数の測定値を受信し、
複数のＷｉＦｉチャネルの前記第１サブセットおよび複数のＷｉＦｉチャネルの前記第２サブセットに関する前記複数の測定値に基づいて、複数のデバイスツーデバイス通信に対して、前記ｄＵＥ１および前記ｄＵＥ２により使用されるＷｉＦｉチャネルを割り当てる、請求項３に記載の進化型ノードＢ。
【請求項６】
前記第１制御メッセージは、無線リソース制御（ＲＲＣ）メッセージであり、
前記第２制御メッセージは、無線リソース制御（ＲＲＣ）メッセージである、請求項１から５のいずれか一項に記載の進化型ノードＢ。
【請求項７】
前記第１制御メッセージは、複数のサポートされたＤ２Ｄ技術および複数のパラメータのリストを有し、
前記第２制御メッセージは、複数のサポートされたＤ２Ｄ技術および複数のパラメータのリストを有する、請求項６に記載の進化型ノードＢ。
【請求項８】
デバイスツーデバイス（Ｄ２Ｄ）接続を確立する方法であって、
第１ユーザ機器（第１ＵＥ）から第１制御メッセージを受信する段階と、
第２ユーザ機器（第２ＵＥ）から第２制御メッセージを受信する段階と、
前記第１ＵＥおよび前記第２ＵＥの間のＤ２Ｄ接続を確立する要求を受信する段階と、
前記第１制御メッセージおよび前記第２制御メッセージから複数の利用可能なＷｉＦｉチャネルのセットを決定する段階と、
前記第１ＵＥおよび前記第２ＵＥに命令して分散型チャネルスキャンを実行する段階と、
前記分散型チャネルスキャンに基づいて、前記第１ＵＥおよび前記第２ＵＥの間の前記Ｄ２Ｄ接続のために用いられる好ましいＷｉＦｉチャネルを割り当てる段階と、を備える方法。
【請求項９】
前記第１ＵＥおよび前記第２ＵＥに命令して分散型チャネルスキャンを実行する段階は、
複数の利用可能なＷｉＦｉチャネルの前記セットを複数のＷｉＦｉチャネルの第１サブセットおよび複数のＷｉＦｉチャネルの第２サブセットに分離する段階と、
前記第１ＵＥに、複数の利用可能なＷｉＦｉチャネルの前記第１サブセットを測定させ、複数の利用可能なＷｉＦｉチャネルの前記第１サブセットの複数の測定値を送信させる段階と、
前記第２ＵＥに、複数の利用可能なＷｉＦｉチャネルの前記第２サブセットを測定させ、複数の利用可能なＷｉＦｉチャネルの前記第２サブセットの複数の測定値を送信させる段階と、
前記第１ＵＥおよび前記第２ＵＥから複数の利用可能なＷｉＦｉチャネルの前記第１サブセットおよび前記第２サブセットの前記複数の測定値を受信する段階と、
複数の利用可能なＷｉＦｉチャネルの前記第１サブセットおよび前記第２サブセットの前記複数の測定値を評価して、前記好ましいＷｉＦｉチャネルを選択する段階と、
を含む、請求項８に記載の方法。
【請求項１０】
複数の利用可能なＷｉＦｉチャネルの前記第１サブセットの前記複数の測定値は、複数の利用可能なＷｉＦｉチャネルの前記第１サブセット内の各チャネルの信号強度および複数の干渉レベルを含み、
複数の利用可能なＷｉＦｉチャネルの前記第２サブセットの前記複数の測定値は、複数の利用可能なＷｉＦｉチャネルの前記第２サブセット内の各チャネルの信号強度および複数の干渉レベルを含む、請求項９に記載の方法。
【請求項１１】
複数の利用可能なＷｉＦｉチャネルの前記第１サブセットの前記複数の測定値は、複数の利用可能なＷｉＦｉチャネルの前記第１サブセット内の各チャネルの占有率を含み、
複数の利用可能なＷｉＦｉチャネルの前記第２サブセットの前記複数の測定値は、複数の利用可能なＷｉＦｉチャネルの前記第２サブセット内の各チャネルの占有率を含む、請求項９または１０に記載の方法。
【請求項１２】
前記第１ＵＥからの前記第１制御メッセージは、前記第１ＵＥのＷｉＦｉ能力に関する情報を含み、
さらに、前記第２ＵＥからの前記第２制御メッセージは、前記第２ＵＥのＷｉＦｉ能力に関する情報を含む、請求項８から１１のいずれか一項に記載の方法。
【請求項１３】
前記第１制御メッセージは、無線リソース制御（ＲＲＣ）メッセージであり、
前記第２制御メッセージは、無線リソース制御（ＲＲＣ）メッセージである、請求項８から１２のいずれか一項に記載の方法。
【請求項１４】
前記第１制御メッセージは、前記第１ＵＥの複数のサポートされたＤ２Ｄ技術および複数のパラメータのリストを含み、
前記第２制御メッセージは、前記第２ＵＥの複数のサポートされたＤ２Ｄ技術および複数のパラメータのリストを含む、請求項１３に記載の方法。
【請求項１５】
前記方法は、ロングタームエボリューション（ＬＴＥ）ネットワーク内で動作する進化型ノードＢ（ｅＮＢ）により実行される、請求項８から１４のいずれか一項に記載の方法。
【請求項１６】
第１ユーザ機器（第１ＵＥ）により実行されて、デバイスツーデバイス（Ｄ２Ｄ）接続を用いて、前記第１ＵＥを第２ユーザ機器（第２ＵＥ）と接続するための方法であって、
制御メッセージを進化型ノードＢ（ｅＮＢ）に送信する段階と、
前記第１ＵＥおよび前記第２ＵＥの間でＤ２Ｄ接続を要求する段階と、
前記ｅＮＢから複数の命令を受信して、複数の利用可能なＷｉＦｉチャネルのサブセットを測定する段階と、
複数の利用可能なＷｉＦｉチャネルの前記サブセットのチャネルスキャンを行う段階と、
前記チャネルスキャンの複数の結果を前記ｅＮＢに送信する段階と、
Ｄ２Ｄ接続において使用される複数のＷｉＦｉセッティングを含む複数の命令を受信する段階と、
を備える方法。
【請求項１７】
複数のＷｉＦｉセッティングを有する前記複数の命令を用いて、前記第１ＵＥおよび前記第２ＵＥの間で接続を確立する段階をさらに備える、請求項１６に記載の方法。
【請求項１８】
前記制御メッセージは、前記第１ＵＥの複数のＤ２Ｄ能力に関する情報を有する、請求項１６または１７に記載の方法。
【請求項１９】
前記第１ＵＥの前記複数のＤ２Ｄ能力に関する前記情報は、前記第１ＵＥが使用可能な複数のＷｉＦｉチャネルに関する情報を含む、請求項１８に記載の方法。
【請求項２０】
前記制御メッセージは、無線リソース制御（ＲＲＣ）メッセージである、請求項１８または１９に記載の方法。
【請求項２１】
前記制御メッセージは、複数のサポートされたＤ２Ｄ技術および複数のパラメータを含む、請求項２０に記載の方法。
【請求項２２】
前記第２ＵＥとのＤ２Ｄ接続を確立する段階をさらに備える、請求項１６から２１のいずれか一項に記載の方法。
【請求項２３】
ロングタームエボリューション（ＬＴＥ）ネットワーク内でデバイスツーデバイス（Ｄ２Ｄ）接続を交渉するための方法であって、
第１ユーザ機器（第１ＵＥ）から第１制御メッセージを受信する段階と、
第２ユーザ機器（第２ＵＥ）から第２制御メッセージを受信する段階と、
要求を受信して、前記第１ＵＥおよび前記第２ＵＥの間のＤ２Ｄ接続を確立する段階と、
前記第１制御メッセージおよび前記第２制御メッセージに基づいて、前記第１ＵＥおよび前記第２ＵＥの複数の共通の能力を判断する段階と、
前記複数の共通の能力に基づいて、Ｄ２Ｄ接続を割り当てる段階と、
を備える方法。
【請求項２４】
前記第１制御メッセージは、前記第１ＵＥのＤ２Ｄ能力情報を含み、
前記第２制御メッセージは、前記第２ＵＥのＤ２Ｄ能力情報を含む、請求項２３に記載の方法。
【請求項２５】
前記第１ＵＥの前記Ｄ２Ｄ能力情報は、前記第１ＵＥの複数のサポートされた物理層技術、複数のサポートされた周波数帯域、サポートされた無線技術、複数のサービスパラメータの品質、及び電力容量のうちの１または複数を含み、
さらに、前記第２ＵＥの前記Ｄ２Ｄ能力情報は、前記第２ＵＥの複数のサポートされた物理層技術、複数のサポートされた周波数帯域、サポートされた無線技術、複数のサービスパラメータの品質、及び電力容量のうちの１または複数を含む、請求項２４に記載の方法。
【請求項２６】
前記複数の共通の能力に基づいてＤ２Ｄ接続を割り当てる段階は、前記第１ＵＥの前記Ｄ２Ｄ能力情報および前記第２ＵＥのＤ２Ｄ能力情報を評価する段階を含む、請求項２５に記載の方法。
【請求項２７】
前記第１制御メッセージは、複数のサポートされたＤ２Ｄ技術および複数のパラメータを含み、
前記第２制御メッセージは、複数のサポートされたＤ２Ｄ技術および複数のパラメータを含む、請求項２３から２６のいずれか一項に記載の方法。
【発明の詳細な説明】
【技術分野】
【０００１】
実施形態は、無線通信に関する。  いくつかの実施形態は、２又はそれ以上のユーザ機器の間での直接的な無線通信に関する。
【背景技術】
【０００２】
［関連出願の相互参照］  本出願は、２０１２年５月１１日に出願された米国仮特許出願番号６１／６４６２２３に対する優先権の利益を主張する２０１３年１月２８日に出願された米国特許出願番号１３／７５１６４４に対する優先権の利益を主張する。両方とも、その全体が参照により、本明細書に組み込まれる。
【０００３】
電話、タブレット、Ｅブックリーダ、ラップトップコンピュータ等のようなモバイルデバイスを含むユーザ機器（ＵＥ）は、ますます一般的になっている。そのようなデバイスの使用の増大に伴って、プロキシミティベースアプリケーション及びサービスの使用が増大している。プロキシミティベースアプリケーション及びサービスは、２又はそれ以上のデバイス／ユーザが互いに近接して互いに通信することを望む認識に基づく。例示的なプロキシミティベースアプリケーション及びサービスは、ソーシャルネットワーキング、モバイルコマース、広告、ゲーム等を含む。現在の技術では、そのようなアプリケーションおよびサービスは、従来のモバイルブロードバンドネットワークである。そのようなモバイルブロードバンドネットワークでは、ネットワークとＵＥとの両方に対して、ベストなパフォーマンスは得られない。
【図面の簡単な説明】
【０００４】
【図１】本発明の実施形態の概略を示す。
【０００５】
【図２】実施形態の別の概略である。
【０００６】
【図３】実施形態の動作を示すフローチャートである。
【発明を実施するための形態】
【０００７】
以下の説明及び図面は、当業者がそれらを実施することのできるように特定の実施形態を十分に説明する。他の実施形態は、構造上、論理、電気、処理、他の変更を組み込んでよい。例は、単に、可能な変形を代表する。個々の構成及び機能は、明示的に要されない限り任意であり、一連の動作は変更してもよい。いくつかの実施形態の部分及び特徴は、他の実施形態のそれらに含まれる又は代用されてよい。特許請求の範囲に明記の実施形態は、それらの請求項のすべての利用可能な均等物を包含する。
【０００８】
以下の詳細な説明において、多くの特定の詳細が、本発明の完全な理解を提供するために明記される。しかし、本発明はこれらの特定の詳細なしに実施できることが当業者に理解されるであろう。他の例では、周知の方法、手順、コンポーネント、及び回路は、本発明を不明瞭にしないよう、詳述されていない。
【０００９】
発明の実施形態はこの点において限定されないが、用語「複数（ｐｌｕｒａｌｉｔｙ）」及び「複数（ａ  ｐｌｕｒａｌｉｔｙ）」は、本明細書で使用される場合、例えば「複数（ｍｕｌｔｉｐｌｅ）」又は「２又はそれ以上（ｔｗｏ  ｏｒ  ｍｏｒｅ）」を含んでよい。用語「複数（ｐｌｕｒａｌｉｔｙ）」又は「複数（ａ  ｐｌｕｒａｌｉｔｙ）」は、明細書を通して、２又はそれ以上のコンポーネント、デバイス、要素、ユニット、パラメータ等を記述するために使用され得る。例えば、「複数の局」は２又はそれ以上の局を含み得る。
【００１０】
第３世代パートナーシッププロジェクト（３ＧＰＰ）は、現在、電波産業会(ＡＲＩＢ)、中国通信標準化協会（ＣＣＳＡ）、欧州電気通信標準化機構（ＥＴＳＩ）、電気通信標準化連合（ＡＴＩＳ）、電気通信技術協会（ＴＴＡ）、社団法人情報通信技術委員会（ＴＴＣ）を含む「Ｏｒｇａｎｉｚａｔｉｏｎａｌ  Ｐａｒｔｎｅｒｓ」として知られる相当数の電気通信標準化団体をまとめるために１９９８年１２月に確立された提携契約である。３ＧＰＰの確立は、「第３世代パートナーシッププロジェクト契約」の契約により、１９９８年１２月に承認された。
【００１１】
３ＧＰＰは、それらがサポートする進化型ＧＳＭ（登録商標）コアネットワーク及び無線アクセス技術（例えば、周波数分割二重通信（ＦＤＤ）及び時分割二重通信（ＴＤＤ）モードに対するユニバーサル地上波無線アクセス（ＵＴＲＡ））に基づく第３世代モバイルシステムのための技術仕様と技術レポートとして世界的に適用可能な標準を提供する。３ＧＰＰは、進化型無線アクセス技術（例えば、汎用パケット無線サービス（ＧＰＲＳ）及びＧＭＳ進化型高速データ伝送（ＥＤＧＥ））を含む技術仕様と技術レポートのような汎欧州デジタル移動電話方式（ＧＳＭ（登録商標））に対するグローバルシステムの保守と発展のための規格も提供する。携帯電話通信に関係する現代の規格に対する技術仕様は、３ＧＰＰ組織からパブリックに一般に利用可能である
【００１２】
３ＧＰＰは、現在、３Ｇモバイルシステムの進化を研究し、ＵＴＲＡネットワーク（ＵＴＲＡＮ）の進化に向かって指導される寄与（見解と提案）を考察している。高レベル条件のセットは、減少されたビット当たりのコスト、高められたサービスプロビジョニング（すなわち、より良い品質で低コストの多くのサービス）、既存の使用のフレキシビリティ及び新しい周波数帯域、オープンインタフェース接続を用いた簡素化されたアーキテクチャ、及び減じられ／適当な端末電力消費を含む３ＧＰＰワークショップにより識別された。ＵＴＲＡ＆ＵＴＲＡＮロングタームエボリューション（ＵＴＲＡＮ−ＬＴＥ、３ＧＰＰ−ＬＴＥ及びＥ−ＵＴＲＡとしても知られる）の研究が、高データレート、低レイテンシ、及びパケット最適化無線アクセス技術に向かう３ＧＰＰ無線アクセス技術の発展のためのフレームワークを開発することを目的として、２００４年１２月にスタートした。研究は、２０ＭＨｚまでのフレキシブル伝送帯域幅、新しい伝送スキームの導入、及び次世代マルチアンテナ技術をサポートする手段のような無線インタフェース物理層（ダウンリンク及びアップリンク）への修正を考察した。３ＧＰＰ−ＬＴＥは、直交周波数分割多重（ＯＦＤＭ）技術を組み込んだ無線インタフェース接続に基づく。ＯＦＤＭは、それぞれのユーザデータチャネルを搬送する多数の緊密に区切られた直交副搬送波を使うデジタル多搬送波変調フォーマットである。各副搬送波は、無線周波数（ＲＦ）の伝送レートと比較して（比較的）低いシンボルレートでの、直交振幅変調（ＱＡＭ）のような、従来の変調スキームを用いて変調される。実際問題として、ＯＦＤＭ信号は、高速フーリエ変換（ＦＦＴ）アルゴリズムを用いて生成される。
【００１３】
プロキシミティベースアプリケーションが使用される典型的な状況において、モバイルデバイス又はユーザ機器（ＵＥ１）を有するユーザは、別のモバイルデバイスＵＥ２と物理的に近接する。ユーザは、ファイルを転送し、ゲームをし、又はそうでなければＵＥ１からＵＥ２に通信することを望み得る。ＵＥ１及びＵＥ２の間での接続は、ユーザにより開始される代わりに、アプリケーションにより自動的に開始されてよい。従来の通信ネットワークにおいて、そのような通信は、一般に、ベーストランシーバ基地局、ＮｏｄｅＢ、又は進化型ノードＢ（ｅＮｏｄｅＢ又はｅＮＢ）のような中央コーディネータを通じて生じる。
【００１４】
しかし、プロキシミティベース通信に差を生じ得る幾つかの要素がある。例えば、デバイス間の距離は一般に小さく、通信はユーザ開始（例えば、同じアプリケーションを実行する第２デバイスが近接すると、自動的に通信するアプリケーション）ではなくアプリケーション駆動であってよい。最適化することのできたプロキシミティベース通信のような態様がある。
【００１５】
図１は、ロングタームエボリューション（ＬＴＥ）ネットワークのような、無線アクセスネットワークを用いるデバイスツーデバイス（Ｄ２Ｄ）ネットワークを組み合せるシステムを示す。モバイルブロードバンドネットワーク１００は、ここに示すｅＮＢ１０２のような中央コーディネータを含む。ユーザ機器（ＵＥ）１０４及び１０６は、ＬＴＥ通信チャネル１０８を介するｅＮＢ１０２と通信する。
【００１６】
図１は、Ｄ２Ｄクラスタ１１０、１２０、１３０、１４０、及び１５０も示す。Ｄ２Ｄクラスタ１１０、１２０、１３０、１４０、及び１５０のうちのそれぞれは、ｅＮＢ１０２を通じて通信する必要のない互いに直接通信可能な複数のＵＥを備える。本願は、Ｄ２Ｄ可能ユーザ機器を表わすために、Ｄ２Ｄ能力を有するＵＥをｄＵＥとして参照する。図１において、Ｄ２Ｄクラスタの幾つかの異なるレイアウトが示される。Ｄ２Ｄクラスタの他の構成も可能であることを理解すべきである。単一ｅＮＢは、図１に示す以上に多くのＤ２Ｄクラスタをサポートすることができるものと理解すべきである。
【００１７】
ピコｅＮＢ１１２は、ｅＮＢ１０２に結合される。Ｄ２Ｄクラスタ１１０及び１２０は、ピコｅＮＢ１１２と結合される。Ｄ２Ｄクラスタ１１０内に、Ｄ２Ｄコーディネータ１１５並びにｄＵＥ１１６及び１１７がある。Ｄ２Ｄコーディネータ１１５は、ｄＵＥ１１６／１１７及びピコｅＮＢ１１２の間の通信の管理に供する。Ｄ２Ｄクラスタ１２０内に、Ｄ２Ｄコーディネータ１２５並びにｄＵＥ１２６及び１２７がある。ＵＥ１２２も、ピコｅＮＢ１１２に結合される。ＵＥ１２２は、Ｄ２Ｄクラスタ１１０又は１２０に結合されない。ＵＥ１２２は、Ｄ２Ｄ能力を有してもよいし、有しなくてもよい。
【００１８】
ｄＵＥ１１６及び１１７は互いにＤ２Ｄ接続を有する。ただし、ｄＵＥ１１６及びｄＵＥ１１７の間の通信は、ピコｅＮＢ１１２又はｅＮＢ１０２のいずれも含む必要がない。代わりに、情報は、ｄＵＥ１１６及びｄＵＥ１１７の間で直接送信される。このセットアップは、様々な活用を提供する。例えば、ｄＵＥ１１６及びｄＵＥ１１７は互いに極近接するため、それらはデータすべてをｅＮＢ１０２へのウェイへ送信しなくてよい。従って、デバイスの１つ又は両方は、ｄＵＥ１１６及びｄＵＥ１１７の電池寿命を延命して、低電力トランシーバモードを使用することができる。加えて、ｅＮＢ１１２及びｅＮＢ１０２はｄＵＥ１１６及びｄＵＥ１１７の間の伝送に含まれないため、ｅＮＢ１０２及びピコｅＮＢ１１２の有限の帯域幅機能は使用されない。ｄＵＥ１１６又はｄＵＥ１１７のいずれかがｅＮＢ１０２又はピコｅＮＢ１１２と通信することを必要とすると、そのような通信はＤ２Ｄコーディネータ１１５を通して行われる。図１は、Ｄ２Ｄコーディネータの使用を含む幾つかのシナリオを示すが、デバイス間の通信は、いずれのＤ２Ｄコーディネータも用いないで、ｅＮＢ１０２又はピコｅＮＢ１１２のようなｅＮＢの制御の下で直接実行されてよいことを理解すべきである。Ｄ２Ｄクラスタ１２０内にＤ２Ｄコーディネータがないことを除いて、同様の構成がｄＵＥ１２６及びｄＵＥ１２７の間でＤ２Ｄクラスタ１２０内に存在する。Ｄ２Ｄコーディネータ１１５並びにｄＵＥ１１６及び１１７の間に接続があることを理解すべきである。図１から、単に省略されている。
【００１９】
Ｄ２Ｄクラスタ１３０は、Ｄ２Ｄコーディネータ１３５、ｄＵＥ１３６、及びｄＵＥ１３７を備える。Ｄ２Ｄクラスタ１３０において、ｄＵＥ１３６及び１３７は、互いに及びＤ２Ｄコントローラ１３５と直接に通信してよい。Ｄ２Ｄコーディネータ１３５は、ｄＵＥ１３６及びｄＵＥ１３７の間のＤ２Ｄ接続を制御するのに供する。Ｄ２Ｄコーディネータ１３５は、ｄＵＥ１３６又はｄＵＥ１３７を用いてマルチキャスト／ブロードキャスト伝送を編成してもよい。上述の通り、ｄＵＥ１３６及び１３７並びにＤ２Ｄコーディネータ１３５は、単一の従来のＵＥのような同じ空間を用いることにより、ｅＮＢ１０２の帯域幅を解放する。Ｄ２Ｄクラスタ１１０及び１２０と異なり、Ｄ２Ｄクラスタ１３０と結合するピコｅＮＢはない。
【００２０】
Ｄ２Ｄクラスタ１４０は、ピコｅＮＢ１４１、ｄＵＥ１４２及び１４３、Ｄ２Ｄコントローラ１４５、ｄＵＥ１４６及び１４７を備える。ｄＵＥ１４２及び１４３は、ピコｅＮＢ１４１と結合されるが、他のＵＥのいずれとも結合されない。Ｄ２Ｄコーディネータ１４５は、ピコｅＮＢ１４２とも結合される。ｄＵＥ１４６及び１４７は、マルチホップ構成にある。ｄＵＥ１４６のみが、Ｄ２Ｄコントローラ１４５に結合される。もし、ピコｅＮＢがｄＵＥ１４６にデータを送信することを望むと、それはデータをＤ２Ｄコーディネータ／コントローラｄＵＥ１４５を通じて送信することができる。もし、Ｄ２Ｄコントローラが信号をｄＵＥ１４７に送信することを要すると、信号はまずｄＵＥ１４６に送信される。
【００２１】
Ｄ２Ｄクラスタ１５０は、図示されるように互いに結合されるｄＵＥ１５２、１５４、１５６、及び１５８のそれぞれを用いて、メッシュ構成において互いに結合されるｄＵＥ１５２、１５４、１５６、及び１５８を備える。もし、ｄＵＥがデータをｄＵＥに送信することを要すると、それは直接に結合されず（例えば、ｄＵＥ１５２及び１５６）、データを、接続されるｄＵＥ（例えば、ｄＵＥ１５４）を通して送信することができる。図１に示されるすべての接続と同様に、Ｄ２Ｄコントローラは必要ない。
【００２２】
Ｄ２Ｄクラスタ１１０、１２０、１３０、１４０、及び１５０を用いて、それぞれ独立に動作することで、ｅＮＢ１０２は、多くのトラフィックを処理する必要はなく、それによって、ｅＮＢ１０２に別の方法で可能であるよりも多くのＵＥにサービスを提供する、及び／又は他のＵＥにより高いスループットを提供する。しかし、複数のＤ２Ｄクラスタの存在は、インターセル干渉の増大を招く。
【００２３】
Ｄ２Ｄ通信は、認可及び無認可帯域の両方において可能である。例えば、ｄＵＥ１及びｄＵＥ２の間のＤ２Ｄ通信は、ＬＴＥ信号を介して遂行してよい。そのような状況において、ｄＵＥ１及びｄＵＥ２は、それがｅＮＢを介してのＬＴＥ通信に対してするように、Ｄ２Ｄ通信に対して同じ周波数及び転送スキームを使用する。ｄＵＥ１及びｄＵＥ２の間のＤ２Ｄ通信は、オフロードと呼ばれる処理においてＷｉＦｉ信号を介して遂行されてもよい。オフロード状況において、Ｄ２Ｄ通信は、例えば幾つかの利益のあるＷｉＦｉ信号を介して実行されてよい。
【００２４】
例えば、ＷｉＦｉ信号は異なる周波数にあるため、他のＬＴＥ信号との干渉は低い。加えて、より広い帯域幅がＷｉＦｉ帯域内でのデータ送信に利用可能であり、より高いデータ送信速度が短距離Ｄ２Ｄ通信に対して達成することができる。ＷｉＦｉにおいて採用されるコンテンションベースチャネルアクセスメカニズムは、局所領域における複数のＤ２Ｄ送信を調整するのに適当である。さらに、ＷｉＦｉは、オフロードスキーム上で実施するのに容易にすることで、今日利用可能なモバイルデバイス上の非常に共通のコンポーネントとなった。
【００２５】
ＷｉＦｉ信号は、様々の異なる周波数内にあってよい。現在使われている３つの別個の周波数範囲は、２．４ＧＨｚ、５．２ＧＨｚ、及び５．８ＧＨｚ近傍を中心とする（なお、場合によっては、５．２ＧＨｚ及び５．８ＧＨｚ帯域はまとめて５ＧＨｚ帯域と呼ばれることに留意すべきである。）他の周波数は、３．６ＧＨｚ及び６０ＧＨｚのように将来に使用され得る。１つのｄＵＥに別のｄＵＥに通信させるために、両デバイスの機能を決定しなければならない。例えば、幾つかのデバイスは、特定の周波数範囲で送信のみできる。加えて、すべてのｄＵＥが機能することのできるクリーンな（すなわち、未使用の）チャネルがあるか判断しなければならない。クリーンなチャネルを探す１つの方法は、完全チャネルスキャンを行うことである。しかし、完全チャネルスキャンは、２，３秒を要する。これは、セルラーＤ２Ｄ通信のサービス品質（ＱｏＳ）条件に対して問題を引き起こす。加えて、完全電力スキャンは、必要とされる以上の電力を使い得る。これは、電池寿命に不利益に影響する。それらの状況において、２，３秒の遅延は受け入れられない。スキャンを実行するのに要する時間を短縮し、電力消費を抑えることが望まれる。
【００２６】
ＷｉＦｉに加えて、Ｄ２Ｄ通信は、Ｂｌｕｅｔｏｏｔｈ（登録商標）、Ｚｉｇｂｅｅ（登録商標）、及び変更ＬＴＥ技術のような他の無認可帯域を使用することができる。各ｄＵＥはすべての技術をサポートし得ないため、技術の共通セット及び動作周波数の共通セットは、それらの帯域を使用して接続を確立する前に識別される必要がある。
【００２７】
スキャンを実行するのに要する時間を短くするために使うことのできる１つの方法は、Ｄ２Ｄ通信における一部を実行してチャネルスキャンと共同するデバイスを使用することである。ｅＮＢは、Ｄ２Ｄデバイスに対する技術及び周波数帯域の共通セットを特定してよい。これは、各デバイスからの機能レポートを要求すること及び機能の共通セットを探すことを含んでよい。その後、ｅＮＢは、機能の共通セットを分割し、各ｄＵＥに干渉測定のための共通セットの一部をスキャンすることを頼んでよい。
【００２８】
図２に関して、図１の簡略バージョンが提示される。ｅＮＢ２０２は、２つのＵＥ、ｄＵＥ１  ２０４及びｄＵＥ２  ２０６に結合されて示される。ｄＵＥ１  ２０４及びｄＵＥ２  ２０６の間でＤ２Ｄ接続が確立される前に、ｅＮＢ２０２は、ｄＵＥ１  ２０４及びｄＵＥ２  ２０６にすべての利用可能なＷｉＦｉチャネルを測定することを頼んでよい。
【００２９】
例えば、ｄＵＥ１及びｄＵＥ２は、ともに、２．４ＧＨｚ  ＷｉＦｉ帯域内で通信することができてよい。北アメリカでは、２．４ＧＨｚ  ＷｉＦｉ帯域は、利用可能な１１のチャネルを有する（他の国ではより多くのチャネルが利用可能である）。ｅＮＢ２０２は、ｄＵＥ１  ２０４に６を介するチャネル１に存在する干渉を測定させ、ｄＵＥ２に１１を介するチャネル７に存在する干渉を測定させる。ｄＵＥ１及びｄＵＥ２の間のチャネルスキャンを分散することで、チャネルスキャンを行うのに要する時間が短くなり、また電力スキャンを行うために用いられる電力が減る。その後、ｄＵＥ１  ２０４及びｄＵＥ２  ２０６の両方は結果をｅＮＢ２０２に送信する。ｅＮＢ２０２は、そして、Ｄ２Ｄ通信に使うｄＵＥ１  ２０４及びｄＵＥ２  ２０６に対するベストなチャネルを決定することができる。
【００３０】
図３に関して、実施形態の動作を詳細に示すフローチャートが提示される。ｄＵＥ１は、ＲＲＣメッセージ又は他の制御メッセージを、ｄＵＥ１のＤ２Ｄ能力を詳細に調べるｅＮＢに送信する（３０２）。Ｄ２Ｄ能力は、ｅＮＢ又はＤ２ＤデバイスがＤ２Ｄ通信に対して適切な技術を選択することができるように、１）サポートされたＤ２Ｄ技術、例えばＬＴＥ  Ｄ２Ｄ、ＷｉＦｉ  Ｄ２Ｄ等、及び２）周波数帯域、ＰＨＹパラメータ、サポートされた無線技術、サービス品質（ＱｏＳ）パラメータ、電力容量等を含んでよい。Ｄ２Ｄ接続の確立の間、ｅＮＢは、Ｄ２Ｄデバイスから報告されるサポートされた技術及びパラメータのセットからの選択の実行を助けることができる、又はｅＮＢは、複数のＤ２Ｄデバイスの技術及びパラメータの共通セットを選択し、そしてＤ２Ｄデバイスに選択を実行させることができる。
【００３１】
ｅＮＢは、ｄＵＥ１のＤ２Ｄ能力を格納する（３０４）。ｄＵＥ２がｅＮＢに接続すると、ｄＵＥ２は、ＲＲＣメッセージ又は他の制御メッセージを、ｄＵＥ２のＤ２Ｄ能力を詳細に調べ、格納するｅＮＢに送信する（３０６）。メッセージをｅＮＢに送信するｄＵＥ１及びｄＵＥ２のこれらの手順は、ＵＥがｅＮＢに接続するときはいつも実行される標準プロトコルの一部であってよい。
【００３２】
その後、ｄＵＥ１及びｄＵＥ２がＤ２Ｄモードでの接続を望む場合、ｅＮＢはメモリからｄＵＥ１及びｄＵＥ２の両方の機能を検索する。ｅＮＢは、ｄＵＥ１及びｄＵＥ２にＷｉＦｉ測定処理を開始させる（３０８）。上述したように、ｄＵＥ１及びｄＵＥ２のそれぞれは、利用可能なＷｉＦｉチャネルの一部のみを測定させられる。３０２及び３０６から、どのＷｉＦｉチャネルがｄＵＥ１及びｄＵＥ２の両方に共通して利用可能であるか判断される。ＷｉＦｉチャネルは、２つのサブセットに分割される。例えば、１１を介するチャネル１は２．４ＧＨｚ帯域において利用可能であり、ｄＵＥ１は６を介してチャネル１を測定してよいし、ｄＵＥ２は１１を介してチャネル７を測定してよい。各ｄＵＥにより測定される部分の置き換えは限定されないものと理解すべきである。ｄＵＥ１及びｄＵＥ２は、そして、結果をｅＮＢに送信する（３１０）。チャネル品質及び干渉状態に基づいて、ｅＮＢは、ｄＵＥ１及びｄＵＥ２の間のＤ２Ｄ接続のために用いられる適当なＷｉＦｉチャネルを選択する（３１２）。これは、信号強度、干渉等のような様々な基準に基づいてよい。例えば、干渉強度は、受信した信号強度レベル及び／又は占有率（他のデバイスによるチャネルの使用）を介して評価することができる。
【００３３】
そして、ｅＮＢは、選択されたＷｉＦｉチャネルに関する情報をｄＵＥ１及びｄＵＥ２に送信する（３１４）。ｄＵＥ１及びｄＵＥ２は、そして、選択されたＷｉＦｉチャネルを介して接続するのに必要な初期接続手順を進める（３１６）。ｄＵＥ１及びｄＵＥ２の間の初期接続は、ＷｉＦｉ初期接続の典型的な方法で行うことができる。
【００３４】
２以上のｄＵＥが実施形態において使用することができると理解すべきである。例えば、３つのｄＵＥ、すなわち、チャネル１を４を介して測定するｄＵＥ１、チャネル５を８を介して測定するｄＵＥ２、及びチャネル９を１１を介して測定するｄＵＥ３を使用してよい。さらに、実施形態は、ＷｉＦｉの２．４ＧＨｚ帯域に限定されないと理解すべきである。ｄＵＥがＷｉＦｉの２．４ＧＨｚ帯域と５．２ＧＨｚ帯域又は５．８ＧＨｚ帯域のような他の帯域との両方を使用可能の場合、両帯域内のチャネルがｄＵＥにより測定され得る。例えば、ｄＵＥ１は２．４ＧＨｚ帯域内のチャネルを測定することができ、ｄＵＥ２は５ＧＨｚ帯域内のチャネルを測定することができる。その後、結果は、ｅＮＢにより比較される。ｅＮＢは、そして、チャネルがＤ２Ｄ通信のために用いられるべきか判断することができる。
【００３５】
以下の例は、さらなる実施形態に関する。
【００３６】
一実施形態において、進化型ノードＢ（ｅＮＢ）は、デバイスツーデバイス（Ｄ２Ｄ）構成において第１ユーザ機器（ｄＵＥ１）を第２ユーザ機器（ｄＵＥ２）に直接接続する処理回路を備えてよい。処理回路は、ｄＵＥ１から第１制御メッセージを受信し、ｄＵＥ２から第２制御メッセージを受信し、ｄＵＥ１及びｄＵＥ２に対する要求を受信して、ＷｉＦｉ信号を介してデバイスツーデバイスモードで通信し、ｄＵＥ１及びｄＵＥ２の間の共通のＤ２Ｄ特徴を決定し、ｄＵＥ１及びｄＵＥ２の間の好ましい接続方法を決定し、ｄＵＥ１及びｄＵＥ２に指示して、好ましい接続方法を用いてｄＵＥ１及びｄＵＥ２の間のＤ２Ｄ接続を確立するよう構成される。
【００３７】
一実施形態において、第１制御メッセージは、ｄＵＥ１のＤ２Ｄ能力に関する情報を有し、第２制御メッセージは、ｄＵＥ２のＤ２Ｄ能力に関する情報を有する。
【００３８】
一実施形態において、ｄＵＥ１のＤ２Ｄ能力に関する情報は、サポートされた物理層技術、サポートされた周波数帯域、サポートされた無線技術、サービスパラメータの品質、及び電力容量のうちの１または複数を含み、ｄＵＥ２のＤ２Ｄ能力に関する情報は、サポートされた物理層技術、サポートされた周波数帯域、サポートされた無線技術、サービスパラメータの品質、及び電力容量のうちの１または複数を含む。
【００３９】
一実施形態において、ｄＵＥ１のＤ２Ｄ能力に関する情報は、ｄＵＥ１が使用可能なＷｉＦｉチャネルに関する情報を含み、ｄＵＥ２のＤ２Ｄ能力に関する情報は、ｄＵＥ２が使用可能なＷｉＦｉチャネルに関する情報を含む。
【００４０】
一実施形態において、処理回路は、さらに、ｄＵＥ１及びｄＵＥ２がともに使用可能なＷｉＦｉチャネルの共通セットを決定し、ＷｉＦｉチャネルの共通セットをＷｉＦｉチャネルの第１サブセット及びＷｉＦｉチャネルの第２サブセットに分割し、ｄＵＥ１に指示して、ＷｉＦｉチャネルの第１サブセットを測定し、ｄＵＥ２に指示して、ＷｉＦｉチャネルの第２サブセットを測定し、ｄＵＥ１からＷｉＦｉチャネルの第１サブセットに関する測定を受信し、ｄＵＥ２からＷｉＦｉチャネルの第２サブセットに関する測定を受信し、ＷｉＦｉチャネルの第１サブセット及びＷｉＦｉチャネルの第２サブセットに関する測定に基づいて、デバイスツーデバイス通信に対して、ｄＵＥ１及びｄＵＥ２により使用されるＷｉＦｉチャネルを割り当てるよう構成される。
【００４１】
一実施形態において、第１制御メッセージは、無線リソース制御（ＲＲＣ）メッセージであり、第２制御メッセージは、無線リソース制御（ＲＲＣ）メッセージである。
【００４２】
一実施形態において、第１制御メッセージは、サポートされたＤ２Ｄ技術及びパラメータを有し、第２制御メッセージは、サポートされたＤ２Ｄ技術及びパラメータを有する。
【００４３】
他の実施形態において、デバイスツーデバイス（Ｄ２Ｄ）接続を確立する方法は、第１ユーザ機器（第１ＵＥ）から第１制御メッセージを受信する段階と、第２ユーザ機器（第２ＵＥ）から第２制御メッセージを受信する段階と、第１ＵＥ及び第２ＵＥの間のＤ２Ｄ接続を確立する要求を受信する段階と、第１制御メッセージ及び第２制御メッセージから利用可能なＷｉＦｉチャネルを決定する段階と、第１ＵＥ及び第２ＵＥに命令して分散型チャネルスキャンを実行する段階と、分散型チャネルスキャンに基づいて、第１ＵＥ及び第２ＵＥの間のＤ２Ｄ接続に使用される好ましいＷｉＦｉチャネルを割り当てる段階と、を備える。
【００４４】
一実施形態において、第１ＵＥ及び第２ＵＥに命令して分散型チャネルスキャンを実行する段階は、ＷｉＦｉチャネルの利用可能なセットをＷｉＦｉチャネルの第１サブセット及びＷｉＦｉチャネルの第２サブセットに分離する段階と、第１ＵＥに、利用可能なＷｉＦｉチャネルの第１サブセットを測定し、その測定を送信させる段階と、第２ＵＥに、利用可能なＷｉＦｉチャネルの第２サブセットを測定し、その測定を送信させる段階と、第１及び第２ＵＥから利用可能なＷｉＦｉチャネルの第１及び第２サブセットの測定を受信する段階と、利用可能なＷｉＦｉチャネルの第１及び第２サブセットの測定を評価して、好ましいＷｉＦｉチャネルを選択する段階と、を含む。
【００４５】
一実施形態において、利用可能なＷｉＦｉチャネルの第１サブセットの測定は、利用可能なＷｉＦｉチャネルの第１サブセット内の各チャネルの信号強度および干渉レベルを含み、利用可能なＷｉＦｉチャネルの第２サブセットの測定は、利用可能なＷｉＦｉチャネルの第２サブセット内の各チャネルの信号強度および干渉レベルを含む。
【００４６】
一実施形態において、利用可能なＷｉＦｉチャネルの第１サブセットの測定は、利用可能なＷｉＦｉチャネルの第１サブセット内の各チャネルの占有率を含み、利用可能なＷｉＦｉチャネルの第２サブセットの測定は、利用可能なＷｉＦｉチャネルの第２サブセット内の各チャネルの占有率を含む。
【００４７】
一実施形態において、第１ＵＥからの第１メッセージは、第１ＵＥのＷｉＦｉ能力に関する情報を含み、さらに、第２ＵＥからの第２メッセージは、第２ＵＥのＷｉＦｉ能力に関する情報を含む。
【００４８】
一実施形態において、第１制御メッセージは、無線リソース制御（ＲＲＣ）メッセージであり、第２制御メッセージは、無線リソース制御（ＲＲＣ）メッセージである。
【００４９】
一実施形態において、第１制御メッセージは、サポートされたＤ２Ｄ技術及びパラメータを含み、第２制御メッセージは、サポートされたＤ２Ｄ技術及びパラメータを含む。
【００５０】
一実施形態において、方法は、ロングタームエボリューション（ＬＴＥ）ネットワーク内で動作する進化型ノードＢ（ｅＮＢ）により実行される。
【００５１】
他の実施形態において、方法は、第１ユーザ機器（第１ＵＥ）により実行されて、デバイスツーデバイス（Ｄ２Ｄ）接続を用いて、第１ＵＥを第２ユーザ機器（第２ＵＥ）と接続するための方法であって、制御メッセージを進化型ノードＢ（ｅＮＢ）に送信する段階と、第１ＵＥ及び第２ＵＥの間でＤ２Ｄ接続を要求する段階と、ｅＮＢから命令を受信して、利用可能なＷｉＦｉチャネルのサブセットを測定する段階と、利用可能なＷｉＦｉチャネルのサブセットのチャネルスキャンを行う段階と、チャネルスキャンの結果をｅＮＢに送信する段階と、Ｄ２Ｄ接続において使用されるＷｉＦｉセッティング上の命令を受信する段階と、を備える。
【００５２】
一実施形態において、方法は、さらに、ＷｉＦｉセッティング上の命令を用いて、第１ＵＥ及び第２ＵＥの間で接続を確立する段階を備える。
【００５３】
一実施形態において、制御メッセージは、第１ＵＥのＤ２Ｄ能力に関する情報を有する。
【００５４】
一実施形態において、第１ＵＥのＤ２Ｄ能力に関する情報は、第１ＵＥが使用可能なＷｉＦｉチャネルに関する情報を含む。
【００５５】
一実施形態において、制御メッセージは、無線リソース制御（ＲＲＣ）メッセージである。
【００５６】
一実施形態において、制御メッセージは、サポートされたＤ２Ｄ技術及びパラメータを含む。
【００５７】
一実施形態において、方法は、さらに、第２ＵＥとのＤ２Ｄ接続を確立する段階を備える。
【００５８】
他の実施形態において、ロングタームエボリューション（ＬＴＥ）ネットワーク内でデバイスツーデバイス（Ｄ２Ｄ）接続を交渉するための方法であって、第１ユーザ機器（第１ＵＥ）から第１制御メッセージを受信する段階と、第２ユーザ機器（第２ＵＥ）から第２制御メッセージを受信する段階と、要求を受信して、第１ＵＥ及び第２ＵＥの間のＤ２Ｄ接続を確立する段階と、第１制御メッセージ及び第２制御メッセージに基づいて、第１ＵＥ及び第２ＵＥの共通の能力を判断する段階と、共通の能力に基づいて、Ｄ２Ｄ接続を割り当てる段階と、を備える。
【００５９】
一実施形態において、第１制御メッセージは第１ＵＥのＤ２Ｄ能力情報を含み、第２制御メッセージは第２ＵＥのＤ２Ｄ能力情報を含む。
【００６０】
一実施形態において、第１ＵＥのＤ２Ｄ能力情報は、サポートされた物理層技術、サポートされた周波数帯域、サポートされた無線技術、サービスパラメータの品質、及び第１ＵＥの電力容量のうちの１または複数を含み、さらに、第２ＵＥのＤ２Ｄ能力情報は、サポートされた物理層技術、サポートされた周波数帯域、サポートされた無線技術、サービスパラメータの品質、及び第２ＵＥの電力容量のうちの１または複数を含む。
【００６１】
一実施形態において、共通の能力に基づいてＤ２Ｄ接続を割り当てる段階は、第１ＵＥのＤ２Ｄ能力情報及び第２ＵＥのＤ２Ｄ能力情報を評価する段階を含む。
【００６２】
一実施形態において、第１制御メッセージは、サポートされたＤ２Ｄ技術及びパラメータを含む。
【００６３】
第２制御メッセージは、サポートされたＤ２Ｄ技術及びパラメータを含む。
【００６４】
本発明の特定の特徴を本明細書に示し且つ説明するとともに、多くの修正、代替、変更、及び祈祷物が当業者に行われ得る。従って、添付の特許請求の範囲は、そのような修正のすべてをカバーすることを意図し、発明の範囲内に収まるように変わるものと理解される。
【図１】
2015521423.tif 000003
【図２】
2015521423.tif 000004
【図３】
2015521423.tif 000005
【国際調査報告】
2015521423.tif 000006
2015521423.tif 000007